(57)【特許請求の範囲】
【請求項１】
巻取機構によって巻かれたシート状の遮光部材と、
前記遮光部材の先端部を支持する支持部材と、
前記遮光部材を窓に対して展開させる展開位置へ前記支持部材を移動可能に案内レールに対して支持する支持軸と、
前記支持部材又は遮光部材に設けられ、窓端部の隙間を覆うための補助遮光部材と、
前記支持部材の前記展開位置への移動に連動して前記補助遮光部材を前記支持軸に対して窓端部の隙間に向けてスライド移動させる連動機構と、
を備える遮光装置。
【請求項２】
前記支持軸は、前記支持部材の前記展開位置への移動に連動して前記支持部材に対してその長手方向に沿ってスライド移動し、
前記連動機構は、前記支持軸の長手方向へのスライド移動に連動して前記支持軸に対し前記補助遮光部材をスライド移動させる請求項１に記載された遮光装置。
【請求項３】
前記支持部材は筒状とされ、その内側を前記支持軸がスライド移動可能とされている請求項２に記載された遮光装置。
【請求項４】
前記補助遮光部材は、前記支持部材に対して移動可能に組み付けられている請求項１〜３のいずれか１項に記載の遮光装置。
【発明の詳細な説明】
【技術分野】
【０００１】
本発明は、シート状の遮光部材を展開して遮光する遮光装置に関する。
【背景技術】
【０００２】
遮光装置としては、特許文献１に開示されるローラーブラインドが公知である。特許文献１のローラーブラインドは、湾曲したガイドレール１８に沿って引ロッド組立部２３を巻取状態及び展開状態において相対的に回転させることで、引ロッド組立部２３に配設した成形板２４にて後窓の端部隙間を覆うように構成されている。
【先行技術文献】
【特許文献】
【０００３】
【特許文献１】特開２００７−１２６１４３号公報（図５）
【発明の概要】
【発明が解決しようとする課題】
【０００４】
しかしながら、特許文献１の構成では、引ロッド組立部２３の回転角は、ガイドレール１８の形状で決定されるため、その回転角を細かく設定しづらい。また、ガイドレール１８は、その形状が湾曲しているため、成形がしづらい。
【０００５】
また、成形板２４は、引ロッド組立部２３と、引ロッド組立部２３をスライド３２に支持する支持軸（誘導部２９、のど部３１）と、スライド３２とを一体に回転させるため、成形板２４及び引ロッド組立部２３のみを回転させる場合や成形板２４のみを回転させる場合に比べて、装置全体が大型化する。
【０００６】
本発明は、窓端部の隙間を覆うことが可能な遮光装置において、装置小型化を図ることを課題とする。
【課題を解決するための手段】
【０００７】
本発明の請求項１に係る遮光装置は、巻取機構によって巻かれたシート状の遮光部材と、前記遮光部材の先端部を支持する支持部材と、前記遮光部材を窓に対して展開させる展開位置へ前記支持部材を移動可能に案内レールに対して支持する支持軸と、前記支持部材又は前記遮光部材に設けられ、窓端部の隙間を覆うための補助遮光部材と、前記支持部材の前記展開位置への移動に連動して前記補助遮光部材を前記支持軸に対して窓端部の隙間に向けてスライド移動させる連動機構と、を備える
【０００８】
この構成によれば、巻取機構によって巻かれたシート状の遮光部材が窓に対して展開する展開位置へ支持部材を移動させると、支持部材の展開位置への移動に連動して補助遮光部材が支持軸に対して窓端部の隙間に向けてスライド移動する。
これにより、補助遮光部材で窓端部の隙間を覆うことができ、遮光部材を展開した際の見栄えが向上する。
【０００９】
ここで、請求項１の構成では、補助遮光部材を支持軸に対してスライド移動させるので、支持軸と補助遮光部材とが一体に窓端部の隙間に向けてスライド移動する構成に比べて、装置が大掛かりとならない。従って、請求項１の構成によれば、窓の端部隙間を覆うことが可能な遮光装置において、装置小型化を図ることができる。
【００１０】
本発明の請求項２に係る遮光装置は、請求項１の構成において、前記支持軸は、前記支持部材の前記展開位置への移動に連動して前記支持部材に対してその長手方向に沿ってスライド移動し、前記連動機構は、前記支持軸の長手方向へのスライド移動に連動して前記支持軸に対し前記補助遮光部材をスライド移動させる。
【００１１】
この構成によれば、巻取機構によって巻かれたシート状の遮光部材が窓に対して展開する展開位置へ支持部材を移動させると、支持部材の展開位置への移動に連動して、支持軸が支持部材に対してその長手方向に沿ってスライド移動する。
支持軸が支持部材に対してスライド移動すると、補助遮光部材が支持軸に対して窓端部の隙間に向けてスライド移動する。
これにより、補助遮光部材で窓端部の隙間を覆うことができ、遮光部材を展開した際の見栄えが向上する。
【００１２】
本発明の請求項３に係る遮光装置は、請求項２の構成において、前記支持部材は筒状とされ、その内側を前記支持軸がスライド移動可能とされている。
【００１３】
この構成によれば、簡易な構成で支持軸を支持部材に対してスライド移動させることができる。また、支持軸が支持部材の内側に収容されるので、装置の小型化が図れる。
【００１６】
本発明の請求項４に係る遮光装置は、請求項１〜３のいずれか１項に記載の構成において、前記補助遮光部材は、前記支持部材に対して移動可能に組み付けられている。
【００１７】
この構成によれば、補助遮光部材のみをスライド移動させることができるので、装置構成の小型化が図れる。
【００２１】
この構成によれば、補助遮光部材が支持部材に一体に設けられているので、部品点数を低減でき、装置の小型化が図れる。
【図面の簡単な説明】
【００２２】
【図１】本実施形態に係る遮光装置の構成を示した斜視図である。
【図２】本実施形態に係る遮光装置において、スクリーンが展開された状態を示す概略図である。
【図３】本実施形態に係る遮光装置において、スクリーンが巻き取られた状態を示す概略図である。
【図４】本実施形態に係る遮光装置において、支持軸及びスクリーン支持部材の構成を示す部分断面図である。
【図５】本実施形態に係る遮光装置において、第１実施例に係る補助遮光部材及び連動機構の構成を示す斜視図である。
【図６】第１実施例に係る補助遮光部材及び連動機構の構成において、（Ａ）は、補助遮光部材が突出した状態を示す部分斜視図であり、（Ｂ）は、補助遮光部材が後退した状態を示す部分斜視図である。
【図６Ａ】第１実施例に係る補助遮光部材及び連動機構の構成において長孔の形状を替えた変形例を示し、（Ａ）は遮光装置全体の概略図であり、（Ｂ）は長孔の形状を示す概略図である。
【図６Ｂ】図６Ａに示す変形例に係る構成において、補助遮光部材が突出した状態を示し、（Ａ）は斜視図であり、（Ｂ）は部分断面図である。
【図６Ｃ】図６Ａに示す変形例に係る構成において、補助遮光部材が後退した状態を示し、（Ａ）は斜視図であり、（Ｂ）は部分断面図である。
【図７】本実施形態に係る遮光装置において、第１の参考例に係る補助遮光部材及び連動機構の構成を示し、（Ａ）は斜視図であり、（Ｂ）は部分断面図である。
【図８】第１の参考例に係る補助遮光部材及び連動機構の構成において、（Ａ）は、遮光板が傾倒した状態を示す部分斜視図であり、（Ｂ）は、遮光板が起立した状態を示す部分斜視図である。
【図９】本実施形態に係る遮光装置において、第２の参考例に係る補助遮光部材及び連動機構の構成を示す斜視図である。
【図１０】第２の参考例に係る補助遮光部材及び連動機構の構成において、（Ａ）は、遮光板が起立した状態を示す部分斜視図であり、（Ｂ）は、遮光板が傾倒した状態を示す部分斜視図である。
【図１１】第２の参考例に係る補助遮光部材及び連動機構の構成において、補助遮光部材としてスクリーンを用いた構成を示し、（Ａ）は部分断面図であり、（Ｂ）は斜視図である。
【図１２】本実施形態に係る遮光装置において、第３の参考例に係る補助遮光部材及び連動機構の構成を示し、（Ａ）は斜視図であり、（Ｂ）は部分断面図である。
【図１３】本実施形態に係る遮光装置において、第４の参考例に係る補助遮光部材及び連動機構の構成を示す部分断面図である。
【図１４】変形例に係る遮光装置の構成を示す概略斜視図である。
【図１５】変形例に係る遮光装置において、第５の参考例に係る補助遮光部材及び連動機構の構成を示す斜視図である。
【図１６】第５の参考例に係る補助遮光部材及び連動機構の構成において、（Ａ）は、遮光板が傾倒した状態を示す部分斜視図であり、（Ｂ）は、遮光板が傾倒位置と起立位置との中間にある状態を示す部分斜視図であり、（Ｃ）は、遮光板が起立した状態を示す部分斜視図である。
【発明を実施するための形態】
【００２３】
以下に、本発明に係る実施形態の一例を図面に基づき説明する。
（本実施形態に係る遮光装置１０の構成）
まず、本実施形態に係る遮光装置１０の構成を説明する。図１、図２及び図３は、本実施形態に係る遮光装置の構成を示した概略図であり、図２は、スクリーンが展開された状態を示し、図３は、スクリーンが巻き取られた状態を示す。
【００２４】
本実施形態に係る遮光装置１０は、図１に示すように、例えば、乗用自動車等の車両１００に備えられたリヤウインド１０２を遮光するために用いられ、リヤウインド１０２の室内側に設置される。
なお、遮光装置としては、リヤウインドに対して設置される構成に限られず、フロントウインドやサイドウインドに設置される構成であってもよい。また、遮光装置としては、車両の窓に設置される構成に限られず、種々の窓に対して設置することが可能である。
【００２５】
この遮光装置１０は、図１、図２及び図３に示すように、巻取機構１４によって巻かれたシート状の遮光部材の一例としてのスクリーン１２を備えている。
スクリーン１２は、遮光性を有する布材等により構成されており、窓の一例としてのリヤウインド１０２に対して展開されることにより遮光するようになっている。具体的には、スクリーン１２は、一端側が巻き取られ、その一端とは反対側（対向する側）の他端側が引き出されることにより展開される。
【００２６】
なお、以下では、スクリーン１２が巻き取られる側（巻取機構１４の配置側（図中の符号Ｋ側））を装置の基端側とし、スクリーン１２が引き出される側（図中の符号Ｓ側）を装置の先端側として説明する。また、展開されたスクリーン１２の基端部及び先端部を上下方向にして見たときに、スクリーン１２の側方側に位置する端部をスクリーン１２の側端部とし、一方の側端部から他方の側端部へ向かう方向（図中のＷ方向）をスクリーン１２の幅方向とし、スクリーン１２が引き出される方向（図中のＨ方向）をスクリーン１２の引出方向として説明する。
【００２７】
巻取機構１４は、スクリーン１２の基端部側に配置されており、スクリーン１２の幅方向に沿って延び設けられている。この巻取機構１４は、スクリーン１２を巻き取る巻取り部材の一例としての巻取軸（図示省略）を有している。この巻取軸には、スクリーン１２の基端部がスクリーン１２の幅方向一端から他端にわたって固定されている。
【００２８】
巻取機構１４の巻取軸は、図示しない渦巻きコイルスプリング等の付勢手段によって、常に自らの軸芯周りの一方へ向けて付勢されており、付勢手段の付勢力に対抗する外力が作用しない限りにおいては付勢手段の付勢力によりスクリーン１２が巻取軸の外周部に巻き取られるようになっている。
【００２９】
スクリーン１２の先端部には、スクリーン１２の先端部を支持する支持部材の一例としてのスクリーン支持部材１６が固定されている。
スクリーン支持部材１６は、スクリーン１２の幅方向に沿って延び設けられており、スクリーン１２の幅方向一端から他端にわたってスクリーン１２を支持するようになっている。
【００３０】
また、巻取機構１４の長手方向一端部側及び他端部側には、スクリーン１２の側端部に沿ってスクリーン１２の引出方向へ直線状に延びる一対の案内部材１８が配置されている。
一対の案内部材１８には、スクリーン支持部材１６をスクリーンの引出方向に案内するための案内レール１８Ａが、スクリーン１２に対向する側（一対の案内部材１８が対向する内側）にスクリーン１２の側端部に沿って直線状に形成されている。案内レール１８Ａは、スクリーン１２の側端部に沿って形成される溝部で構成されている。
【００３１】
また、一対の案内部材１８は、先端が内側に向けられており、案内部材１８の間隔が、基端側から先端側に向けて徐々に狭くなっている。
なお、案内部材１８は、基端部を支点に先端部側が巻取機構１４側に移動して、巻取機構１４に対して折り畳まれる構成とされていても良い。
【００３２】
スクリーン支持部材１６には、スクリーン１２を展開させる展開位置へ移動可能にスクリーン支持部材１６を案内レール１８Ａに対して支持する支持軸２０が設けられている。
この支持軸２０が案内レール１８Ａに沿って移動することにより、スクリーン支持部材１６は、スクリーン１２を展開させる展開位置（図２参照）と、スクリーン１２が巻き取られる巻取位置（図３参照）との間を移動するようになっている。
【００３３】
支持軸２０は、スクリーン支持部材１６の両端部にそれぞれ設けられており、それぞれがスクリーン支持部材１６に対してその長手方向に沿ってスライド移動可能とされている。具体的には、図４に示すように、スクリーン支持部材１６は筒状とされ、その内側を支持軸２０が、スクリーン支持部材１６から突出する突出方向及びスクリーン支持部材１６に収容される収容方向にスライド移動可能とされている。
【００３４】
なお、スクリーン支持部材１６は、その一部を切り欠く切欠部が形成された構成であってもよく、例えば、断面Ｃ字形状とされていても良い。
【００３５】
支持軸２０は、長手方向中央部に形成された大径部２０Ａと、長手方向両端部に形成され大径部２０Ａよりも小径とされた小径部２０Ｂを有している。大径部２０Ａは、スクリーン支持部材１６内に配置され、小径部２０Ｂは、スクリーン支持部材１６の長手方向両端の側壁１６Ａに形成された貫通穴１７から外側に突出している。なお、支持軸２０の大径部２０Ａは、貫通穴１７の穴径よりも大径とされている。
【００３６】
また、支持軸２０の大径部２０Ａとスクリーン支持部材１６の側壁１６Ａとの間には、ガタを防止するための付勢手段としての圧縮ばね２８が配置され、圧縮ばね２８は、支持軸２０の小径部２０Ｂに取り付けられている。圧縮ばね２８は、支持軸２０の大径部２０Ａとスクリーン支持部材１６の側壁１６Ａを押圧することにより、支持軸２０を収容方向へ付勢している。
【００３７】
図３に示すように、支持軸２０が案内部材１８の基端側に移動すると、一対の案内部材１８の基端側の間隔が広くされていることにより、圧縮ばね２８の付勢力に対抗して支持軸２０がスクリーン支持部材１６から引き出されて突出方向に移動する。
図２に示すように、支持軸２０が案内部材１８の先端側に移動すると、一対の案内部材１８の先端側の間隔が狭くされていることにより、圧縮ばね２８の付勢力により支持軸２０が収容方向に移動する。
【００３８】
また、案内部材１８の基端部（巻取機構１４側の端部）には、プーリ２２が回転可能に支持されており、案内部材１８の先端部には、プーリ２３が回転可能に支持されている。このプーリ２２及びプーリ２３には、環状にされたワイヤ２４が巻き掛けられている。
ワイヤ２４には、支持軸２０が固定されており、ワイヤ２４が循環移動することにより、支持軸２０が案内レール１８Ａに沿って移動するようになっている。
【００３９】
巻取機構１４には、駆動モータ２６が配置されており、プーリ２２が駆動モータ２６から駆動力を付与されて回転することでワイヤ２４が循環移動するようになっている。
【００４０】
この構成によれば、駆動モータ２６によってプーリ２２が一方へ回転すると、ワイヤ２４が循環移動する。ワイヤ２４が循環移動すると、支持軸２０が案内レール１８Ａに沿って先端側へ移動し、スクリーン支持部材１６が展開位置に移動する。
これにより、巻取機構１４の巻取軸を付勢する付勢手段の付勢力に対抗してスクリーン１２が引き出されて、スクリーン１２がリヤウインド１０２の室内側で展開され、室外の光がスクリーン１２によって遮られる。
【００４１】
また、駆動モータ２６によってプーリ２２が他方へ回転すると、ワイヤ２４が循環移動する。ワイヤ２４が循環移動すると、支持軸２０が案内レール１８Ａに沿って基端側へ移動し、スクリーン支持部材１６が巻取位置に移動する。
これにより、巻取機構１４の巻取軸を付勢する付勢手段の付勢力により、スクリーン１２が巻き取られる。
【００４２】
ここで、本実施形態に係る遮光装置１０は、リヤウインド１０２端部の隙間を覆うための補助遮光部材を備えている。補助遮光部材は、連動機構によって、スクリーン支持部材１６の展開位置への移動に連動して支持軸２０に対してリヤウインド１０２端部の隙間に向けて回転又はスライド移動するようになっている。以下に、本実施形態に係る遮光装置１０に適用可能な補助遮光部材及び連動機構の複数の具体的な構成を第１実施例及び第１〜第４の参考例として説明する。
なお、図１、図２及び図３は、第１実施例を適用した場合の遮光装置の構成を示している。
【００４３】
（第１実施例に係る補助遮光部材及び連動機構の構成）
次に、第１実施例に係る補助遮光部材及び連動機構の構成を説明する。図５及び図６は、第１実施例に係る補助遮光部材及び連動機構の構成を示す概略図である。
【００４４】
第１実施例では、図５に示すように、補助遮光部材としての遮光板３０が、スクリーン支持部材１６に設けられている。このスクリーン支持部材１６には、遮光板３０をスライド可能に支持する遮光板支持部材３２が設けられている。
遮光板支持部材３２は、スクリーン支持部材１６の長手方向両端部に配置されており、遮光板３０の長手方向両端部をそれぞれ支持している。
【００４５】
遮光板３０は、先端側へ移動する第１位置（図５において実線で示す遮光板３０、図６（Ａ）参照）と、基端側へ移動する第２位置（図５において二点鎖線で示す遮光板３０、図６（Ｂ）参照）との間をスライド移動可能とされている。スクリーン支持部材１６が展開位置に位置する場合において、遮光板３０は、第１位置でリヤウインド１０２の上端部の隙間を覆い、第２位置でリヤウインド１０２の上端部の隙間を露出させる。
遮光板３０の先端部は、リヤウインド１０２の上端部の形状に対応して外側に膨出する湾曲状に形成されている。
【００４６】
第１実施例に係る連動機構３１は、支持軸２０のそれぞれに形成された一対のガイドピン３４と、遮光板３０に形成されガイドピン３４をそれぞれガイドする一対のガイド孔３６とを備えて構成されている。
【００４７】
ガイドピン３４は、突出方向及び収容方向に移動する支持軸２０と一体に移動する。なお、ガイドピン３４のスクリーン支持部材１６に対する相対移動を許容する長孔３８が、スクリーン支持部材１６にその長手方向に沿って形成されている（図２及び図３参照）。また、ガイドピン３４の先端には、ガイドピン３４のガタを抑えるためのプレート３９が設けられている。
各ガイド孔３６は、遮光板３０の基端側から先端側にいくにつれて徐々に長手方向中央側から長手方向外側に向かうように直線状に形成されており、遮光板３０の移動方向に対して傾斜している。一対のガイド孔３６の間隔は、遮光板３０の基端側から先端側にかけて広くなっている。
【００４８】
第１実施例の構成によれば、図６（Ａ）に示すように、支持軸２０が収容方向へスライド移動すると、一対のガイドピン３４がスクリーン支持部材１６の長手方向中央側に移動し、ガイドピン３４がガイド孔３６の内壁を押す。このとき、ガイドピン３４は、長孔３８をその形成方向に沿って移動する。ガイドピン３４がガイド孔３６の内壁を押すことにより、遮光板３０が支持軸２０に対してスライド移動して、遮光板３０が第１位置に移動する。これにより、遮光板３０でリヤウインド１０２端部の隙間を覆うことができ、スクリーン１２を展開した際の見栄えが向上する。
【００４９】
また、図６（Ｂ）に示すように、支持軸２０が突出方向へスライド移動すると、一対のガイドピン３４がスクリーン支持部材１６の長手方向外側に移動し、ガイドピン３４がガイド孔３６の内壁を逆方向に押す。このとき、ガイドピン３４は、長孔３８をその形成方向に沿って移動する。ガイドピン３４がガイド孔３６の内壁を逆方向に押すことにより、遮光板３０が支持軸２０に対してスライド移動して、遮光板３０が第２位置に移動する。
【００５０】
このように、第１実施例の構成では、遮光板３０を支持軸２０に対してスライド移動させるので、支持軸２０と遮光板３０とが一体にリヤウインド１０２端部の隙間に向けて移動する構成に比べて、装置が大掛かりとならない。従って、第１実施例の構成によれば、リヤウインド１０２端部の隙間を覆うことが可能な遮光装置において、装置小型化を図ることができる。
【００５１】
上述のように、第１実施例の構成では、スクリーン支持部材１６の長手方向に沿って直線状にされた長孔３８が形成されていたが、図６Ａ〜図６Ｃに示すように、スクリーン支持部材１６を回転させるように形状を替えた長孔３７が形成された構成であってもよい。  この長孔３７は、図６Ａ（Ｂ）に示すように、スクリーン支持部材１６の長手方向に沿って延びる一端部３７Ａと、スクリーン支持部材１６の長手方向に沿って延びる他端部３７Ｅと、一端部３７Ａと他端部３７Ｅとの間に形成されスクリーン支持部材１６の長手方向に沿って延びる中間部３７Ｃと、一端部３７Ａと中間部３７Ｃとの間に形成されスクリーン支持部材１６の長手方向外側から中央側にいくにつれて徐々にスクリーン支持部材１６の基端側へ周方向に沿ってずれる変化部３７Ｂと、他端部３７Ｅと中間部３７Ｃとの間に形成されスクリーン支持部材１６の長手方向外側から中央側にいくにつれて徐々にスクリーン支持部材１６の基端側へ周方向に沿ってずれる変化部３７Ｄと、有している。
【００５２】
これにより、支持軸２０が収容方向へスライド移動すると、図６Ｂ（Ａ）、(Ｂ)に示すように、一方のガイドピン３４が長孔３７の一端部３７Ａから変化部３７Ｂを経て中間部３７Ｃに案内され、一方のガイドピン３４が長孔３７の変化部３７Ｂの内壁を押す。
また、他方のガイドピン３４が長孔３７の他端部３７Ｅから変化部３７Ｄを経て中間部３７Ｃに案内され、他方のガイドピン３４が長孔３７の変化部３７Ｄの内壁を押す。
【００５３】
これにより、スクリーン支持部材１６が、リヤウインド１０２端部の隙間に向かう方向へ回転する。また、ガイドピン３４は、それぞれ、ガイド孔３６の内壁を押しながらガイド孔３６を移動し、遮光板３０が第１位置にスライド移動する。このように、ガイドピン３４は、長孔３７を移動するとともに、ガイド孔３６を移動する。
【００５４】
また、支持軸２０が突出方向へスライド移動すると、図６Ｃ（Ａ）、(Ｂ)に示すように、一方のガイドピン３４が長孔３７の中間部３７Ｃから変化部３７Ｂを経て一端部３７Ａに案内され、一方のガイドピン３４が長孔３７の変化部３７Ｂの内壁を逆方向に押す。  また、他方のガイドピン３４が長孔３７の中間部３７Ｃから変化部３７Ｄを経て他端部３７Ｅに案内され、他方のガイドピン３４が長孔３７の変化部３７Ｄの内壁を逆方向に押す。
【００５５】
これにより、スクリーン支持部材１６が、リヤウインド１０２端部の隙間から遠ざかる方向へ回転する。また、ガイドピン３４は、それぞれ、ガイド孔３６の内壁を逆方向に押しながら、ガイド孔３６を移動し、遮光板３０が第２位置にスライド移動する。
【００５６】
すなわち、図６Ａ（Ｂ）に示すように、ガイドピン３４の移動領域において、長孔３７の変化部３７Ｂ及び変化部３７Ｄ部分が、スクリーン支持部材１６を回転させる回転領域とされ、ガイド孔３６部分が、遮光３０をスライド移動させるスライド移動領域とされている。
図６Ａ〜図６Ｃに示す構成によれば、スクリーン支持部材１６を回転させると共に遮光板３０をスライド移動させることができ、リヤウインド１０２端部の隙間に対する遮光板３０の位置を調整しやすくなる。
【００５７】
（第１の参考例に係る補助遮光部材及び連動機構の構成）
次に、第１の参考例に係る補助遮光部材及び連動機構の構成を説明する。図７及び図８は、第１の参考例に係る補助遮光部材及び連動機構の構成を示す概略図である。
【００５８】
第１の参考例では、図７（Ａ）、（Ｂ）に示すように、補助遮光部材としての遮光板４０が、スクリーン支持部材１６に回転可能に設けられている。この遮光板４０は、スクリーン支持部材１６に沿って長尺状に形成されている。遮光板４０の基端部は、スクリーン支持部材１６に形成された開口部１６Ｂを通じて、スクリーン支持部材１６に回転可能に支持された支軸４３に支持されている。遮光板４０の先端部は、リヤウインド１０２の上端部の形状に対応して外側に膨出する湾曲状に形成されている。
【００５９】
遮光板４０は、支軸４３を回転中心に回転してスクリーン支持部材１６の先端側へ起立する起立位置（図８（Ｂ）参照）と、支軸を回転中心に回転して起立位置から傾倒する傾倒位置（図８（Ａ）参照）との間を移動可能とされている。スクリーン支持部材１６が展開位置に位置する場合において、遮光板４０は、起立位置でリヤウインド１０２の上端部の隙間を覆い、傾倒位置でリヤウインド１０２の上端部の隙間を露出させる。
支軸４３には、遮光板４０を傾倒位置に付勢する付勢手段の一例としてのトーションばね４５が取り付けられている。
【００６０】
第１の参考例に係る連動機構４１は、回転軸からの距離が一定でない外周を有するカム４２を備えている。カム４２は、遮光板４０の支軸４３に同軸的に設けられている。スクリーン支持部材１６に対してスライド移動する支持軸２０には、カム４２に当接して回転させるための板体４４が形成されており、板体４４は、支持軸２０と一体にスライド移動する。この板体４４は、スライド移動する支持軸２０の直線運動をカム４２の回転運動に変換する変換部材としての機能を有する。
【００６１】
具体的には、板体４４は、支持軸２０及び板体４４のスライド移動方向に対して傾斜する傾斜面４４Ａを有しており、その傾斜面４４Ａは、図８（Ｂ）に示すように、支持軸２０が収容方向へスライド移動すると、カム４２の外周において回転軸からの距離が相対的に長い部位から徐々に短くなる部位に向けて当接する。これにより、トーションばね４５の付勢力に対抗してカム４２が回転し、遮光板４０が支持軸２０に対して回転して遮光板４０が起立位置に移動する。これにより、遮光板３０でリヤウインド１０２端部の隙間を覆うことができ、スクリーン１２を展開した際の見栄えが向上する。
【００６２】
また、図８（Ａ）に示すように、支持軸２０が突出方向へスライド移動すると、カム４２の外周において回転軸からの距離が相対的に短い部位から徐々に長くなる部位に向けて当接する。これにより、トーションばね４５の付勢力によりカム４２が逆回転し、遮光板４０が支持軸２０に対して回転して遮光板４０が傾倒位置に移動する。
【００６３】
このように、第１の参考例の構成では、遮光板４０を支持軸２０に対して回転させるので、支持軸２０と遮光板４０とが一体にリヤウインド１０２端部の隙間に向けて回転する構成に比べて、装置が大掛かりとならない。従って、第１の参考例の構成によれば、リヤウインド１０２端部の隙間を覆うことが可能な遮光装置において、装置小型化を図ることができる。
【００６４】
なお、カム４２を回転させる変換部材としては、板状の板体４４に限られず、種々の形状とすることが可能である。
【００６５】
（第２の参考例に係る補助遮光部材及び連動機構の構成）
次に、第２の参考例に係る補助遮光部材及び連動機構の構成を説明する。図９、図１０及び図１１は、第２の参考例に係る補助遮光部材及び連動機構の構成を示す概略図である。
【００６６】
第２の参考例では、図９に示すように、補助遮光部材としての遮光部５０が、スクリーン支持部材１６に一体に設けられている。この遮光部５０は、スクリーン支持部材１６の径方向外側に突出すると共に、スクリーン支持部材１６に沿って長尺状に形成されている。
【００６７】
また、遮光部５０は、スクリーン支持部材１６と一体に回転して先端側へ起立する起立位置（図１０（Ａ）参照）と、スクリーン支持部材１６と一体に回転して起立位置から傾倒する傾倒位置（図１０（Ｂ）参照）との間を移動可能とされている。スクリーン１２を展開させる展開位置にスクリーン支持部材１６が位置する場合において、遮光部５０は、起立位置でリヤウインド１０２の上端部の隙間を覆い、傾倒位置でリヤウインド１０２の上端部の隙間を露出させる。
【００６８】
第２の参考例に係る連動機構５１は、図１０に示すように、スクリーン支持部材１６の内壁から支持軸２０側（径方向内側）に突出するピン５２を備えている。
【００６９】
スクリーン支持部材１６の内壁に対向する支持軸２０の外壁には、ピン５２を案内する案内部の一例としての溝部５４が形成されている。溝部５４は、支持軸２０の長手方向に沿って延びる一端部５４Ａと、支持軸２０の長手方向に沿って延びる他端部５４Ｃと、一端部５４Ａと他端部５４Ｃとの間に形成され支持軸２０の長手方向外側から内側にいくにつれて徐々に支持軸２０の周方向にずれる変化部５４Ｂを有している。
【００７０】
これにより、支持軸２０が収容方向へスライド移動すると、スクリーン支持部材１６のピン５２が溝部５４の一端部５４Ａから変化部５４Ｂを経て他端部５４Ｃに案内され、溝部５４の変化部５４Ｂの内壁がピン５２を押して、スクリーン支持部材１６と一体に設けられた遮光部５０が支持軸２０に対して回転し、遮光部５０が起立位置に移動する。
これにより、遮光部５０でリヤウインド１０２端部の隙間を覆うことができ、スクリーン１２を展開した際の見栄えが向上する。
【００７１】
また、支持軸２０が突出方向へスライド移動すると、スクリーン支持部材１６のピン５２が溝部５４の他端部５４Ｃから変化部５４Ｂを経て一端部５４Ａに案内され、溝部５４の変化部５４Ｂの内壁がピン５２を逆方向に押して、スクリーン支持部材１６と一体に設けられた遮光部５０が支持軸２０に対して回転し、遮光部５０が傾倒位置に移動する。
【００７２】
このように、第２の参考例の構成では、遮光部５０を支持軸２０に対して回転させるので、支持軸２０と遮光部５０とが一体にリヤウインド１０２端部の隙間に向けて回転する構成に比べて、装置が大掛かりとならない。従って、第２の参考例の構成によれば、リヤウインド１０２端部の隙間を覆うことが可能な遮光装置において、装置小型化を図ることができる。
なお、ピン５２を案内する案内部は、溝部でなく、長孔（スリット）であってもよい。
【００７３】
また、図１１（Ａ）、（Ｂ）に示すように、スクリーン１２の一部を補助遮光部材として用いるように構成してもよい。図１１（Ａ）、（Ｂ）に示す構成では、スクリーン１２の先端部が、遮光部５０に形成されたスリット５０Ａを通じて、遮光部５０から外側に突出しており、この突出部１２Ａが補助遮光部材として機能するようになっている。
【００７４】
この突出部１２Ａが遮光部５０から突出した状態で維持されるように、スクリーン１２を保持する保持部５６が、遮光部５０に設けられている。保持部５６は、スクリーン１２を複数回折り返して保持している。
【００７５】
また、突出部１２Ａは、スクリーン支持部材１６の長手方向に沿って突出すると共に、リヤウインド１０２の上端部の形状に対応して外側に膨出する湾曲状に形成されている。
また、突出部１２Ａは、スクリーン支持部材１６及び遮光部５０と一体に回転して先端側へ起立する起立位置（図１１において二点鎖線で示す遮光部５０参照）と、スクリーン支持部材１６及び遮光部５０と一体に回転して起立位置から傾倒する傾倒位置（図１１において実線で示す遮光部５０参照）との間を移動可能とされている。
【００７６】
スクリーン支持部材１６が展開位置に位置する場合において、スクリーン１２の突出部１２Ａは、起立位置で遮光部５０と共にリヤウインド１０２の上端部の隙間を覆い、傾倒位置で遮光部５０と共にリヤウインド１０２の上端部の隙間を露出させる。
【００７７】
（第３の参考例に係る補助遮光部材及び連動機構の構成）
次に、第３の参考例に係る補助遮光部材及び連動機構の構成を説明する。図１２は、第３の参考例に係る補助遮光部材及び連動機構の構成を示す概略図である。
【００７８】
第３の参考例では、図１２（Ａ）、（Ｂ）に示すように、補助遮光部材としての遮光部６０が、スクリーン支持部材１６に一体に設けられている。この遮光部６０は、スクリーン支持部材１６の径方向外側に突出すると共に、スクリーン支持部材１６に沿って長尺状に形成されている。
【００７９】
また、遮光部６０は、支持軸２０に対してスクリーン支持部材１６と一体に回転して先端側へ起立する起立位置（図１２（Ｂ）参照）と、支持軸２０に対してスクリーン支持部材１６と一体に回転して起立位置から傾倒する傾倒位置（図１２（Ａ）参照）との間を移動可能とされている。スクリーン１２を展開させる展開位置にスクリーン支持部材１６が位置する場合において、遮光部６０は、起立位置でリヤウインド１０２の上端部の隙間を覆い、傾倒位置でリヤウインド１０２の上端部の隙間を露出させる。なお、遮光部６０は、スクリーン支持部材１６と共に、ばね等の付勢部材（図示省略）により傾倒位置に付勢されている。
【００８０】
第３の参考例に係る連動機構６１は、案内部材１８からスクリーン支持部材１６（内側）へ突出するピン６２と、スクリーン支持部材１６に設けられピン６２に当接する当接部６４とを備えている。
【００８１】
当接部６４は、側面視にて、基端側から先端部に向けて先細となる三角形状（テーパ形状）とされている。当接部６４には、ピン６２と対向すると共に、スクリーン支持部材１６が案内部材１８に沿って先端側へ移動する移動する方向に対して傾斜する傾斜面６４Ａを有している。図１２（Ｂ）に示すように、スクリーン支持部材１６が先端側へ移動すると、傾斜面６４Ａがピン６２に当接することにより、遮光部６０は、前記付勢部材（図示省略）の付勢力に対抗して、支持軸２０に対してスクリーン支持部材１６と一体に回転し、先端側へ起立する起立位置に移動する。これにより、遮光部６０でリヤウインド１０２端部の隙間を覆うことができ、スクリーン１２を展開した際の見栄えが向上する。
【００８２】
図１１（Ａ）に示すように、スクリーン支持部材１６が基端側へ移動すると、遮光部６０は、前記付勢部材（図示省略）の付勢力により、支持軸２０に対してスクリーン支持部材１６と一体に回転して傾倒位置に移動する。
【００８３】
このように、第３の参考例の構成では、遮光部６０を支持軸２０に対して回転させるので、支持軸２０と遮光部６０とが一体にリヤウインド１０２端部の隙間に向けて回転する構成に比べて、装置が大掛かりとならない。従って、第３の参考例の構成によれば、リヤウインド１０２端部の隙間を覆うことが可能な遮光装置において、装置小型化を図ることができる。
【００８４】
（第４の参考例に係る補助遮光部材及び連動機構の構成）
次に、第４の参考例に係る補助遮光部材及び連動機構の構成を説明する。図１３は、第４の参考例に係る補助遮光部材及び連動機構の構成を示す概略図である。
【００８５】
第４の参考例では、図１３に示すように、補助遮光部材としての遮光部７０が、スクリーン支持部材１６に一体に設けられている。この遮光部７０は、スクリーン支持部材１６の径方向外側に突出すると共に、スクリーン支持部材１６に沿って長尺状に形成されている。
【００８６】
また、遮光部７０は、スクリーン支持部材１６と一体に回転して先端側へ起立する起立位置（図１３において実線で示す遮光部７０参照）と、スクリーン支持部材１６と一体に回転して起立位置から傾倒する傾倒位置（図１３において二点鎖線で示す遮光部７０参照）との間を移動可能とされている。スクリーン１２を展開させる展開位置にスクリーン支持部材１６が位置する場合において、遮光部７０は、起立位置でリヤウインド１０２の上端部の隙間を覆い、傾倒位置でリヤウインド１０２の上端部の隙間を露出させる。
【００８７】
第４の参考例に係る連動機構７１は、図１３に示すように、ワイヤ２４に固定された固定部材７２と、ワイヤ２４の長さ方向に移動可能に取り付けられたスライダ７４と、固定部材７２とスライダ７４との間に配置された圧縮ばね７６とを備えている。
【００８８】
スライダ７４は、ワイヤ２４に沿って固定部材７２に接離する方向に移動可能に固定部材７２の先端側に配置されている。
【００８９】
固定部材７２には、凹部７２Ａが先端側（スライダ７４側）に形成されている。スライダ７４には、凹部７２Ａに挿入可能な凸部７４Ａが、基端側（固定部材７２側）に形成されている。凹部７２Ａ内の空間には、圧縮ばね７６が配置されており、凸部７４Ａの一部が凹部７２Ａに挿入されて圧縮ばね７６を抑えている。圧縮ばね７６は、スライダ７４を固定部材７２から離間させる方向に押圧している。
【００９０】
スライダ７４には、支持軸２０が設けられており、支持軸２０に対してスクリーン支持部材１６及び遮光部７０は回転可能とされている。
また、固定部材７２には、固定部材７２から遮光部７０側（スクリーン支持部材１６の配置された内側）へ突出するピン７８が形成されている。
【００９１】
また、遮光部７０（スクリーン支持部材１６）には、ピン７８が案内される案内部の一例としてのスリット７９が形成されている。スリット７９は、スクリーン支持部材１６が案内部材１８に沿って先端側へ移動する移動する方向に対して傾斜している。
なお、ピン７８を案内する案内部としては、溝部であっても良い。
【００９２】
これにより、固定部材７２が先端側へ移動すると、圧縮ばね７６の押圧力に対抗して、固定部材７２がスライダ７４側へ移動して固定部材７２とスライダ７４との距離が短くなる。これにより、ピン７８がスリット７９に案内されて、ピン７８がスリット７９の内壁を押すことにより、遮光部７０は、支持軸２０に対してスクリーン支持部材１６と一体に回転して先端側へ起立する起立位置に移動する。これにより、遮光部７０でリヤウインド１０２端部の隙間を覆うことができ、スクリーン１２を展開した際の見栄えが向上する。
【００９３】
固定部材７２が先端側へ移動すると、圧縮ばね７６の押圧力により、スライダ７４が固定部材７２から離間して、固定部材７２とスライダ７４との距離が長くなる。これにより、ピン７８がスリット７９に上記と逆方向に案内されて、ピン７８がスリット７９の内壁を押すことにより、遮光部７０は、支持軸２０に対してスクリーン支持部材１６と一体に回転して傾倒位置に移動する。
【００９４】
このように、第４の参考例の構成では、遮光部７０を支持軸２０に対して回転させるので、支持軸２０と遮光部７０とが一体にリヤウインド１０２端部の隙間に向けて回転する構成に比べて、装置が大掛かりとならない。従って、第４の参考例の構成によれば、リヤウインド１０２端部の隙間を覆うことが可能な遮光装置において、装置小型化を図ることができる。
【００９５】
（変形例に係る遮光装置１１０）
次に、変形例に係る遮光装置１１０の構成について説明する。図１４は、変形例に係る遮光装置１１０の構成を示す概略斜視図である。なお、上記の遮光装置１０と同一部分には、同一符号を付して説明する。
【００９６】
変形例に係る遮光装置１１０は、上記の遮光装置１０と同様に、例えば、乗用自動車等の車両に備えられたリヤウインドを遮光するために用いられ、リヤウインドの室内側に設置される。
なお、遮光装置としては、リヤウインドに対して設置される構成に限られず、フロントウインドやサイドウインドに設置される構成であってもよい。また、遮光装置としては、車両の窓に設置される構成に限られず、種々の窓に対して設置することが可能である。
【００９７】
この遮光装置１１０は、図１４に示すように、巻取機構１１４によって巻かれたシート状の遮光部材の一例としてのスクリーン１２を備えている。
スクリーン１２は、遮光性を有する布材等により構成されており、窓の一例としてのリヤウインドに対して展開されることにより遮光するようになっている。具体的には、スクリーン１２は、一端側が巻き取られ、その一端とは反対側（対向する側）の他端側が引き出されることにより展開される。
【００９８】
なお、以下では、スクリーン１２が巻き取られる側（巻取機構１１４の配置側（図中の符号Ｋ側））を装置の基端側とし、スクリーン１２が引き出される側（図中の符号Ｓ側）を装置の先端側として説明する。また、展開されたスクリーン１２の基端部及び先端部を上下方向にして見たときに、スクリーン１２の側方側に位置する端部をスクリーン１２の側端部とし、一方の側端部から他方の側端部へ向かう方向（図中のＷ方向）をスクリーン１２の幅方向とし、スクリーン１２が引き出される方向（図中のＨ方向）をスクリーン１２の引出方向として説明する。
【００９９】
スクリーン１２を巻き取る巻取機構１１４は、スクリーン１２の基端部側に配置されており、スクリーン１２の幅方向に沿って延び設けられている。この巻取機構１１４は、スクリーン１２を巻き取る巻取り部材の一例としての巻取軸１１４Ａを有している。この巻取軸１１４Ａには、スクリーン１２の基端部がスクリーン１２の幅方向一端から他端にわたって固定されている。
【０１００】
巻取軸１１４Ａは、スクリーン１２の幅方向一端から他端に沿って延び設けられたベース部材１１３に回転可能に支持されている。具体的には、ベース部材１１３の両端部のそれぞれに取り付けられた支持部１１５が、巻取軸１１４Ａを回転可能に支持している。
なお、図１４においては、ベース部材１１３の一端部（図１４における右端部）に配置された支持部１１５のみを図示している。また、ベース部材１１３は、その両端部がブラケット１１７によって支持されている。
【０１０１】
巻取軸１１４Ａは、図示しない渦巻きコイルスプリング等の付勢手段によって、常に自らの軸芯周りの一方へ向けて付勢されており、付勢手段の付勢力に対抗する外力が作用しない限りにおいては付勢手段の付勢力によりスクリーン１２が巻取軸１１４Ａの外周部に巻き取られるようになっている。
【０１０２】
スクリーン１２の先端部には、スクリーン１２の先端部を支持する支持部材の一例としてのスクリーン支持部材１６が固定されている。
スクリーン支持部材１６は、スクリーン１２の幅方向に沿って延び設けられており、スクリーン１２の幅方向一端から他端にわたってスクリーン１２を支持するようになっている。
【０１０３】
また、巻取機構１１４の長手方向一端部側及び他端部側には、スクリーン１２の側端部に沿ってスクリーン１２の引出方向へ直線状に延びる一対の案内部材１８が配置されている。
一対の案内部材１８には、スクリーン支持部材１６をスクリーンの引出方向に案内するための案内レール１８Ａが、スクリーン１２に対向する側（一対の案内部材１８が対向する内側）にスクリーン１２の側端部に沿って直線状に形成されている。案内レール１８Ａは、スクリーン１２の側端部に沿って形成される溝部で構成されている。
【０１０４】
また、一対の案内部材１８は、先端が内側に向けられており、案内部材１８の間隔が、基端側から先端側に向けて徐々に狭くなっている。
さらに、案内部材１８は、先端部側が巻取機構１１４側に移動するように、基端部が支持部１１９によって回転可能に巻取機構１１４に支持されている。これにより、先端部側が巻取機構１１４側に移動して、巻取機構１１４に対して折り畳まれる。なお、案内部材１８は、巻取機構１１４に対して折り畳まれない構成であってもよい。
【０１０５】
スクリーン支持部材１６には、スクリーン１２を展開させる展開位置へ移動可能にスクリーン支持部材１６を案内レール１８Ａに対して支持する支持軸２０が設けられている。
この支持軸２０が案内レール１８Ａに沿って移動することにより、スクリーン支持部材１６は、スクリーン１２を展開させる展開位置と、スクリーン１２が巻き取られる巻取位置との間を移動するようになっている。
【０１０６】
支持軸２０は、スクリーン支持部材１６の両端部にそれぞれ設けられており、それぞれがスクリーン支持部材１６に対してその長手方向に沿ってスライド移動可能とされている。具体的には、スクリーン支持部材１６は筒状とされ、その内側を支持軸２０が、スクリーン支持部材１６から突出する突出方向及びスクリーン支持部材１６に収容される収容方向にスライド移動可能とされている（図４参照）。
【０１０７】
支持軸２０は、長手方向中央部に形成された大径部２０Ａと、長手方向両端部に形成され大径部２０Ａよりも小径とされた小径部２０Ｂを有している。大径部２０Ａは、スクリーン支持部材１６内に配置され、小径部２０Ｂは、スクリーン支持部材１６の長手方向両端の側壁１６Ａに形成された貫通穴１７から外側に突出している。なお、支持軸２０の大径部２０Ａは、貫通穴１７の穴径よりも大径とされている。
【０１０８】
また、支持軸２０の大径部２０Ａとスクリーン支持部材１６の側壁１６Ａとの間には、ガタを防止するための付勢手段としての圧縮ばね２８が配置され、圧縮ばね２８は、支持軸２０の小径部２０Ｂに取り付けられている。圧縮ばね２８は、支持軸２０の大径部２０Ａとスクリーン支持部材１６の側壁１６Ａを押圧することにより、支持軸２０を収容方向へ付勢している。
【０１０９】
支持軸２０が案内部材１８の基端側に移動すると、一対の案内部材１８の基端側の間隔が広くされていることにより、圧縮ばね２８の付勢力に対抗して支持軸２０がスクリーン支持部材１６から引き出されて突出方向に移動する（図３参照）。
支持軸２０が案内部材１８の先端側に移動すると、一対の案内部材１８の先端側の間隔が狭くされていることにより、圧縮ばね２８の付勢力により支持軸２０が収容方向に移動する（図２参照）。
【０１１０】
なお、スクリーン支持部材１６は、その一部を切り欠く切欠部が形成された構成であってもよく、例えば、断面Ｃ字形状とされていても良い。
【０１１１】
また、案内部材１８の先端部には、それぞれ、プーリ２３が回転可能に支持されている。２つのプーリ２３には、環状にされたワイヤ１２４が巻き掛けられている。ワイヤ１２４には、ワイヤ１２４を両方向へ循環移動させる駆動装置１２６が配置されている。
【０１１２】
ワイヤ１２４は、駆動装置１２６から一方側（図１４における右側）の案内部材１８に至り、その案内部材１８の基端側から案内部材１８内の一側（車室側（窓とは反対側））を通ってプーリ２３に至り、プーリ２３に巻き掛けられてから案内部材１８内の他側（窓側）を通って案内部材１８の基端側で案内部材１８から引き出され、スクリーン１２の幅方向に沿って反対側（図１４における左側）の案内部材１８へ至り、その案内部材１８の基端側から案内部材１８内の一側（車室側（窓とは反対側））を通ってプーリ２３に至り、プーリ２３に巻き掛けられてから案内部材１８内の他側（窓側）を通って案内部材１８の基端側で案内部材１８から引き出され、駆動装置１２６に至る。
【０１１３】
駆動装置１２６は、ワイヤ１２４を挟持すると共に、ワイヤ１２４を一方及び他方へ送り出すにように構成されている。これにより、ワイヤ１２４は、循環移動するようになっている。また、駆動装置１２６に隣接して、駆動装置１２６の駆動制御するＥＣＵ（Ｅｌｅｃｔｒｏｎｉｃ  Ｃｏｎｔｒｏｌ  Ｕｎｉｔ）１２６Ａが配置されている。
各案内部材１８内で一側（車室側（窓とは反対側））を通るワイヤ１２４Ａには、支持軸２０がそれぞれ固定されており、ワイヤ１２４が循環移動することにより、支持軸２０が案内レール１８Ａに沿って移動するようになっている。
【０１１４】
この構成によれば、駆動装置１２６によってワイヤ１２４が、図１４における右側へ送り出されると、支持軸２０が案内レール１８Ａに沿って先端側へ移動し、スクリーン支持部材１６が展開位置に移動する。
これにより、巻取機構１１４の巻取軸１１４Ａを付勢する付勢手段の付勢力に対抗してスクリーン１２が引き出されて、スクリーン１２がリヤウインドの室内側で展開され、室外の光がスクリーン１２によって遮られる。
【０１１５】
また、駆動装置１２６によってワイヤ１２４が、図１４における左側へ送り出されると、支持軸２０が案内レール１８Ａに沿って基端側へ移動し、スクリーン支持部材１６が巻取位置に移動する。これにより、巻取機構１１４の巻取軸１１４Ａを付勢する付勢手段の付勢力により、スクリーン１２が巻き取られる。
【０１１６】
ここで、変形例に係る遮光装置１１０は、リヤウインドの端部の隙間を覆うための補助遮光部材を備えている。補助遮光部材は、連動機構によって、スクリーン支持部材１６の展開位置への移動に連動して支持軸２０に対してリヤウインドの端部の隙間に向けて回転移動するようになっている。以下に、変形例に係る遮光装置１１０に適用可能な補助遮光部材及び連動機構の具体的な構成を第５の参考例として説明する。
なお、変形例に係る遮光装置１１０においても、上述の第１実施例及び第１の〜第４の参考例に係る補助遮光部材及び連動機構は適用可能であり、また、後述の第５の参考例に係る補助遮光部材及び連動機構は、上記の実施形態に係る遮光装置１０に対しても適用可能である。
【０１１７】
（第５の参考例に係る補助遮光部材及び連動機構の構成）
次に、第５の参考例に係る補助遮光部材及び連動機構の構成を説明する。図１５及び図１６は、第５の参考例に係る補助遮光部材及び連動機構の構成を示す概略図である。
【０１１８】
第５の参考例では、図１５及び図１６に示すように、補助遮光部材としての遮光板８０が、スクリーン１２のスクリーン支持部材１６側の端部にスクリーン１２に重ねられて設けられている。遮光板８０は、例えば、フェルトや樹脂板で構成されている。
【０１１９】
また、遮光板８０は、一端部がスクリーン支持部材１６又はスクリーン１２に回転可能に取り付けられた取付端部とされ、他端部がいずれの部材にも固定されずに自由状態とされた自由端部となっている。これにより、遮光板８０は、取付端部を回転中心として自由端部が回転して先端側へ起立する起立位置（図１６（Ｃ）参照）と、取付端部を回転中心として自由端部が逆方向に回転して起立位置から傾倒する傾倒位置（図１６（Ａ）参照）との間を移動可能とされている。
【０１２０】
また、遮光板８０の先端部は、リヤウインドの上端部の形状に対応して外側に膨出する湾曲状に形成されている。
これにより、スクリーン１２を展開させる展開位置にスクリーン支持部材１６が位置する場合において、遮光板８０は、起立位置でリヤウインドの上端部の隙間を覆い、傾倒位置でリヤウインドの上端部の隙間を露出させる。
【０１２１】
第５の参考例では、支持軸２０が固定部材８３に固定されており、固定部材８３は、支持部８５によってワイヤ１２４に回転可能に支持されている。固定部材８３は、案内部材１８の長手方向と直交する方向を回転軸として回転するようになっている。
【０１２２】
第５の参考例に係る連動機構８１は、支持軸２０と一体に移動し遮光板８０を操作するための操作部材８２を備えている。操作部材８２は、一端部が固定部材８３に固定されており、他端部が支持軸２０に沿って遮光板８０（スクリーン１２）側に延出されている。
【０１２３】
操作部材８２は、支持軸２０と所定の間隔をおいて、支持軸２０よりも基端側に配置されている。また、操作部材８２とスクリーン支持部材１６との間には、スクリーン支持部材１６の移動方向（基端から先端に向かう方向）において、遮光板８０の厚みと同程度又はそれ以上の隙間Ａ（図１５参照）が形成されている。
【０１２４】
操作部材８２の先端部は、遮光板８０とスクリーン１２との間に差し込み可能とされており、スクリーン１２に沿って扁平状に形成されている。操作部材８２の先端部には、遮光板８０に接触して操作するための第１操作面８２Ａが形成されている。第１操作面８２Ａは、スクリーン１２に沿った方向に形成されている。
【０１２５】
操作部材８２の先端部は、その一部が、遮光板８０とスクリーン１２との間に、スクリーン１２の巻き取り状態を含めて常時に差し込まれた状態とされている。なお、操作部材８２の先端部が遮光板８０とスクリーン１２との間に案内されるように構成される場合には、遮光板８０とスクリーン１２との間から外れた位置に配置される構成であってもよい。
【０１２６】
操作部材８２の中間部には、第１操作面８２Ａと連続し、基端部（固定部材８３側）にいくにつれて徐々に立ち上がるように捻られた第２操作面８２Ｂが形成されている。
操作部材８２の基端部には、第２操作面８２Ｂと連続し、支持軸２０に対向する第３操作面８２Ｃが形成されている。
第３操作面８２Ｃは、第１操作面８２Ａに対して、例えば、９０度の角度を有している。なお、第３操作面８２Ｃと第１操作面８２Ａとの角度は、異なればよく、角度差が９０度である必要はない。
【０１２７】
第５の参考例の構成では、支持軸２０が収容方向へスライド移動すると、図１６（Ａ）に示すように、まず、スクリーン１２と遮光板８０との間に差し込まれた操作部材８２の先端部が、スクリーン１２の幅方向中央部へ進行する。このとき、第１操作面８２Ａにより、遮光板８０は、スクリーン１２から浮き上がった状態を維持する。
【０１２８】
さらに、支持軸２０が収容方向へスライド移動すると、図１６（Ｂ）に示すように、操作部材８２の第２操作面８２Ｂが、遮光板８０に接触し始め、第２操作面８２Ｂによって遮光板８０が徐々に立ち上がり、遮光板８０は、傾倒位置から起立位置に移動していく。
さらに、支持軸２０が収容方向へスライド移動すると、図１６（Ｃ）に示すように、操作部材８２の第３操作面８２Ｃが、遮光板８０に接触し、第３操作面８２Ｃによって遮光板８０が起立位置に移動する。遮光板８０は、第３操作面８２Ｃとスクリーン支持部材１６との間に挟まれて起立位置で保持される。これにより、遮光板８０でリヤウインド端部の隙間を覆うことができ、スクリーン１２を展開した際の見栄えが向上する。
【０１２９】
また、支持軸２０が突出方向へスライド移動すると、遮光板８０は、その自重により、操作部材８２の第３操作面８２Ｃ、第２操作面８２Ｂ及び第１操作面８２Ａの順に接触しながら回転して、傾倒位置に移動する。
【０１３０】
このように、第５の参考例の構成では、遮光板８０を支持軸２０に対して回転させるので、支持軸２０と遮光板８０とが一体にリヤウインド端部の隙間に向けて回転する構成に比べて、装置が大掛かりとならない。従って、第５の参考例の構成によれば、リヤウインド端部の隙間を覆うことが可能な遮光装置において、装置小型化を図ることができる。
本発明は、上記の実施形態に限るものではなく、種々の変形、変更、改良が可能である。
【符号の説明】
【０１３１】
１０・・・遮光装置、１２・・・スクリーン、１６・・・スクリーン支持部材、２０・・・支持軸、３０,４０,８０・・・遮光板、３１,４１,５１,６１,７１,８１・・・連動機構、５０,６０,７０,・・・遮光部
【図１】
0005405214.tif 000002
【図２】
0005405214.tif 000003
【図３】
0005405214.tif 000004
【図４】
0005405214.tif 000005
【図５】
0005405214.tif 000006
【図６】
0005405214.tif 000007
【図６Ａ】
0005405214.tif 000008
【図６Ｂ】
0005405214.tif 000009
【図６Ｃ】
0005405214.tif 000010
【図７】
0005405214.tif 000011
【図８】
0005405214.tif 000012
【図９】
0005405214.tif 000013
【図１０】
0005405214.tif 000014
【図１１】
0005405214.tif 000015
【図１２】
0005405214.tif 000016
【図１３】
0005405214.tif 000017
【図１４】
0005405214.tif 000018
【図１５】
0005405214.tif 000019
【図１６】
0005405214.tif 000020